(57)【要約】      （修正有）【課題】ズボンやスカート等を掛けて効率的に脱臭することが可能な脱臭ハンガーを提供する。【解決手段】脱臭ハンガーは、上着をかけることが可能なハンガー部と、ハンガー部内に設けられ、空気から脱臭成分を生成する脱臭装置と、を備え、ハンガー部は、ハンガー部の外部および内部の一方から他方に空気が通過できるように構成される通気部を含み、通気部は、少なくともハンガー部の底面に設けられ、通気部の下方には、衣類保持部材３００が配置され、ハンガー部の左右両側には、左支持部３０２と右支持部３０１が設けられ、左支持部３０２と右支持部３０１には、それぞれ衣類保持部材３００を着脱自在に支持するためのロック装置が設けられている。【選択図】図８
2020018655.tif 000002
【特許請求の範囲】
【請求項１】
上着をかけることが可能なハンガー部と、
前記ハンガー部内に設けられ、空気から脱臭成分を生成する脱臭装置と、を備え、
前記ハンガー部は、前記ハンガー部の外部および内部の一方から他方に空気が通過できるように構成される通気部を含み、
前記通気部は、少なくとも前記ハンガー部の底面に設けられ、
前記通気部の下方には、衣類保持部材が配置され、
前記ハンガー部の左右両側には、左支持部と右支持部が設けられ、
前記左支持部と前記右支持部には、それぞれ前記衣類保持部材を着脱自在に支持するためのロック装置が設けられている、脱臭ハンガー。
【請求項２】
前記右支持部と前記左支持部は、２つの内壁を有し、前記衣類保持部材が前記右支持部又は前記左支持部により支持された状態で、前記衣類保持部材の一部は前記２つの内壁間に位置し、前記２つの内壁の内、脱臭ハンガーの外側に位置する内壁により、前記衣類保持部材の回転角度が規制される、請求項１に記載の脱臭ハンガー。
【請求項３】
前記右支持部と前記左支持部は、２つの内壁を有し、前記衣類保持部材が前記右支持部又は前記左支持部により支持された状態で、前記衣類保持部材の一部は前記２つの内壁間に位置し、前記２つの内壁の内、脱臭ハンガーの内側に位置する内壁には、前記衣類保持部材の一部が下方に落下することを防止するための突出部が配置され、前記ロック装置の一部が前記突出部である、請求項１又は２に記載の脱臭ハンガー。
【請求項４】
前記右支持部と前記左支持部は、脱臭ハンガーの内側に傾斜部を有する請求項１〜３のいずれか１項に記載の脱臭ハンガー。
【請求項５】
前記右支持部と前記左支持部は、脱臭ハンガーの外側に位置する側面を有し、前記側面には、前記衣類保持手段の支持状態から非支持状態へと変えるためのリリースボタンが配されている、請求項１〜４のいずれか１項に記載の脱臭ハンガー。
【発明の詳細な説明】
【技術分野】
【０００１】
本発明は、衣類を脱臭する機能を備えた脱臭ハンガーに関する。
【背景技術】
【０００２】
オゾンなどの脱臭成分を放出することにより衣類を脱臭する機能を備えた脱臭ハンガーが知られている（例えば、特許文献１参照）。
【０００３】
特許文献１に記載の脱臭ハンガーは、衣類がかけられるハンガー部、および、ハンガー部の内部に設けられたオゾン発生器を備える。オゾン発生器により生成されたオゾンは、ハンガー部の底部に設けられたスリットからハンガー部の外部に放出される。
【先行技術文献】
【特許文献】
【０００４】
【特許文献１】特表２００３−５０９１４４号公報
【発明の概要】
【発明が解決しようとする課題】
【０００５】
しかしながら、特許文献１に記載の脱臭ハンガーでは、ズボンやスカート等を掛けて効率的に脱臭することができない。
【課題を解決するための手段】
【０００６】
本発明は、上着をかけることが可能なハンガー部と、前記ハンガー部内に設けられ、空気から脱臭成分を生成する脱臭装置と、を備え、前記ハンガー部は、前記ハンガー部の外部および内部の一方から他方に空気が通過できるように構成される通気部を含み、前記通気部は、少なくとも前記ハンガー部の底面に設けられ、前記通気部の下方には、衣類保持部材が配置され、前記ハンガー部の左右両側には、左支持部と右支持部が設けられ、前記左支持部と前記右支持部には、それぞれ前記衣類保持部材を着脱自在に支持するためのロック装置が設けられている、脱臭ハンガーである。
【発明の効果】
【０００７】
これにより、使用者は、容易にズボンやスカート等を衣類保持部材に掛けることが可能であり、衣類保持部材に掛けた衣類全体に脱臭成分を含んだ空気をかけることが可能である。
【図面の簡単な説明】
【０００８】
【図１】図１は、実施の形態１の脱臭ハンガーに衣類が掛けられた状態の斜視図である。
【図２】図２は、実施の形態１の脱臭ハンガーの上部コンポーネントを取り外した状態を示す斜視図である。
【図３】図３は、同実施の形態の脱臭ハンガーの背面図である。
【図４】図４は、同実施の形態の脱臭ハンガーの底面図である。
【図５】図５は、図１の５−５線の断面を示す図である。
【図６】図６は、図１の６−６線の断面を示す図である。
【図７】図７は、実施の形態２の脱臭ハンガーの断面を示す図である。
【図８】図８は、実施の形態３の脱臭ハンガーの正面図である。
【図９】図９は、実施の形態３の脱臭ハンガーの正面図である。
【図１０】図１０は、図８に示す脱臭ハンガーの底面図である。
【図１１】図１１は、衣類保持部材を示す図である。
【図１２】図１２は、右支持部近傍を拡大した図である。
【図１３】図１３は、右支持部近傍を拡大した図である。
【図１４】図１４は、右支持部近傍を拡大し下方から見た斜視図である。
【図１５】図１５は、脱臭ハンガーにズボンを掛けた状態の斜視図である。
【図１６】図１６は、脱臭ハンガーにズボンを掛けた状態の右側面図である。
【発明を実施するための形態】
【０００９】
以下、本発明の実施の形態について、図面を参照しながら説明する。なお、以下の説明では、同一または相当部分には同一符号を付し、重複する説明は省略する。また、本実施の形態によって、本発明が限定されるものではない。
【００１０】
第１の実施態様は、上着をかけることが可能なハンガー部と、ハンガー部内に設けられ、空気から脱臭成分を生成する脱臭装置と、を備え、ハンガー部は、ハンガー部の外部および内部の一方から他方に空気が通過できるように構成される通気部を含み、通気部は、少なくともハンガー部の底面に設けられ、通気部の下方には、衣類保持部材が配置され、ハンガー部の左右両側には、左支持部と右支持部が設けられ、左支持部と右支持部には、それぞれ衣類保持部材を着脱自在に支持するためのロック装置が設けられている、脱臭ハンガーである。
【００１１】
これにより、使用者は、容易にズボンやスカート等を衣類保持部材に掛けることが可能であり、衣類保持部材に掛けた衣類全体に脱臭成分を含んだ空気をかけることが可能である。
【００１２】
第２の実施態様は、右支持部と左支持部は、２つの内壁を有し、衣類保持部材が右支持部又は左支持部により支持された状態で、衣類保持部材の一部は２つの内壁間に位置し、２つの内壁の内、脱臭ハンガーの外側に位置する内壁により、衣類保持部材の回転角度が規制される脱臭ハンガーである。
【００１３】
これにより、脱臭ハンガーを窓の近くに置いた場合でも、衣類保持部材を回転させた際に衣類保持部材が窓に当たることを回避することができる。
【００１４】
第３の実施態様は、右支持部と左支持部は、２つの内壁を有し、衣類保持部材が右支持部又は左支持部により支持された状態で、衣類保持部材の一部は２つの内壁間に位置し、２つの内壁の内、脱臭ハンガーの内側に位置する内壁には、衣類保持部材の一部が下方に落下することを防止するための突出部が配置され、ロック装置の一部が突出部である脱臭ハンガーである。
【００１５】
これにより、使用者は、容易にズボンやスカート等を衣類保持部材に掛けることが可能であり、衣類保持部材に掛けた衣類全体に脱臭成分を含んだ空気をかけることが可能である。
【００１６】
第４の実施態様は、右支持部と左支持部は、脱臭ハンガーの内側に傾斜部を有する脱臭ハンガーである。
【００１７】
これにより、衣類保持部材に掛けた衣類全体に脱臭成分を含んだ空気をかけることが可能である。
【００１８】
第５の実施態様は、右支持部と左支持部は、脱臭ハンガーの外側に位置する側面を有し、側面には、衣類保持手段の支持状態から非支持状態へと変えるためのリリースボタンが配されている、脱臭ハンガーである。
【００１９】
これにより、使用者は、容易に衣類保持部材からズボンやスカート等を外すことが可能である。
【００２０】
（実施の形態１）
以下、実施の形態１における脱臭ハンガーの構成について、図１から図６を参照しながら、説明する。
【００２１】
図１は、実施の形態１の脱臭ハンガー１０に上着、シャツなどの衣類１００が掛けられた状態を示す図である。図２は、同実施の形態の脱臭ハンガー１０の上部コンポーネント３０を取り外した状態を示す分解斜視図である。図３は、同実施の形態の脱臭ハンガー１０の背面図である。図４は、同実施の形態の脱臭ハンガー１０の底面図である。図５は、図１の５−５線の断面を示す図である。図６は、図１の６−６線の断面を示す図である。
【００２２】
図１に示すように、本実施の形態の脱臭ハンガー１０は、フック部１１およびハンガー部２０などを含む。フック部１１は、脱臭ハンガー１０を、洋服タンスやクローゼットに設けられるパイプＰなどに吊るす際に利用される。フック部１１は、衣類１００および脱臭ハンガー１０を支持するために十分な強度を有する材料で形成される。材料の第１例は、例えばステンレスなどの金属である。材料の第２例は、例えばポリプロピレンなどの樹脂である。
【００２３】
ハンガー部２０は、ネック部５０と、アーム部６０などを含む。ネック部５０は、衣類１００の襟１０１を支持できるように構成される。アーム部６０は、衣類１００の肩１０２を支持できるように構成される。
【００２４】
ネック部５０は、上部５１および下部５２などを含む。ネック部５０の下部５２は、衣類１００の襟１０１と近接する部分に相当する。具体的には、ネック部５０の下部５２は、図３に示すように、例えばハンガー部２０の底部２２からハンガー部２０の上部２１までの長さの２０％〜５０％だけハンガー部２０の底部２２から離れた部分までの範囲内に設けられる。
【００２５】
ネック部５０の上部５１は、ネック部５０の下部５２よりも上方の部分に相当し、上部コンポーネント３０を含む。そのため、ネック部５０の上部５１は、脱臭ハンガー１０に衣類１００が掛けられた状態において、衣類１００から露出する。
【００２６】
また、ハンガー部２０は、上部コンポーネント３０の側面に、端子部２５を備える。端子部２５は、外部電源（図示せず）と電源ケーブルＣにより接続可能に構成される。端子部２５は、外部電源から供給される電力を、ハンガー部２０の内部に設けられる電子機器に供給する。電子機器は、例えば、脱臭成分を生成する脱臭装置２６（図５参照）、および、表示部２３（図２参照）などである。端子部２５は、脱臭ハンガー１０に衣類１００が掛けられた状態において、衣類１００で覆われない位置に設けられる。そのため、使用者は、掛けられた衣類１００を動かすことなく、電源ケーブルＣを端子部２５に接続できる。
【００２７】
さらに、ハンガー部２０は、通気部７０を含む。通気部７０は、ハンガー部２０の外部および内部の一方から他方に空気が通過できるように配設される。通気部７０は、第１通
気部７１と、第２通気部７２などを、さらに含む。第１通気部７１は、ハンガー部２０の上方側の部分に相当する、ネック部５０の上部５１に設けられる。第２通気部７２は、ハンガー部２０の下方側の部分に相当する、アーム部６０の下部５２およびネック部５０の、少なくとも一方に設けられる。第２通気部７２は、後述する脱臭装置２６で生成される脱臭成分を含む空気が、ハンガー部２０の内部から外部に流れるように配設される。
【００２８】
ハンガー部２０は、図１に示すように、上記上部コンポーネント３０、およびハンガー部本体４０などで構成される。ハンガー部本体４０は、ネック部５０の上部５１の一部と下部５２、およびアーム部６０などを含む。ハンガー部本体４０は、ハンガー部２０の外郭を構成し、内部は中空である。ハンガー部本体４０は、衣類１００（図１参照）を掛けるために適した材料で形成される。材料の第１例は、例えばポリプロピレンなどの樹脂である。材料の第２例は、例えばアルミニウムなどの金属である。ハンガー部本体４０は、流通路４２に連通する開口部４１を含む。流通路４２は、開口部４１からハンガー部本体４０の内部に向かって形成される。流通路４２は、空気が流れる流路を構成する。
【００２９】
上部コンポーネント３０は、フック部１１の基端１２と接続され、ハンガー部本体４０とは別体の部品で構成される。上部コンポーネント３０は、例えば略楕円柱状（楕円柱状を含む）の形状で、例えばポリプロピレンなどの樹脂で形成される。上部コンポーネント３０は、ハンガー部本体４０の開口部４１を覆うように着脱可能に取り付けられる。上部コンポーネント３０は、上下方向に離間して設けられ、周方向に沿って延びる複数のフランジ３１を含む。
【００３０】
表示部２３（図２参照）および操作部２４は、図１に示すように、ハンガー部本体４０のネック部５０の上部５１側に設けられる。表示部２３は、例えば発光ダイオード（ＬＥＤ）で構成され、脱臭ハンガー１０の動作状況を表示する。表示部２３は、ハンガー部本体４０に上部コンポーネント３０が取り付けられた状態において、上部コンポーネント３０に覆われ、内包される。このとき、使用者は、上部コンポーネント３０に形成された複数のフランジ３１の間から、表示部２３の発光を視認できる。これにより、使用者は、脱臭ハンガー１０の動作状況を、把握できる。
【００３１】
操作部２４は、例えば、ボタン２４Ａを含む。使用者のボタン２４Ａの操作により、脱臭ハンガー１０に対する動作指示が入力される。具体的には、ボタン２４Ａが押下された場合、操作部２４は、脱臭ハンガー１０の脱臭装置２６に脱臭動作を開始させるための信号を、生成する。ボタン２４Ａが、再度、押下された場合、操作部２４は、脱臭ハンガー１０の脱臭装置２６に脱臭動作を停止させるための信号を、生成する。
【００３２】
表示部２３および操作部２４は、脱臭ハンガー１０に衣類１００が掛けられた状態において、衣類１００に覆われない位置に配設される。これにより、表示部２３の視認性および操作部２４の操作性が、維持できる。
【００３３】
上述したように、ハンガー部２０の通気部７０は、図２に示すように、第１通気部７１および第２通気部７２を含む。通気部７０は、脱臭成分をハンガー部２０の外部に放出、または、外部の空気を内部に取り入れ可能に配設される。通気部７０の第２通気部７２は、先端側通気部７３と、中心側通気部７６などを含む。先端側通気部７３は、アーム部６０の先端部６２側に設けられる。中心側通気部７６は、先端側通気部７３よりもアーム部６０の中心６３側に設けられる。
【００３４】
先端側通気部７３は、上部先端側通気部７４および下部先端側通気部７５などを含む。上部先端側通気部７４は、第１上部先端側通気部７４Ａおよび第２上部先端側通気部７４Ｂなどを含む。中心側通気部７６は、上部中心側通気部７７および下部中心側通気部７８
などを含む。
【００３５】
このとき、上部中心側通気部７７は、上部中心側通気部７７を通過する空気の流路面積が、上部先端側通気部７４を通過する空気の流路面積よりも広くなるように構成される。具体的には、空気の流路面積は、上部中心側通気部７７、第２上部先端側通気部７４Ｂ、第１上部先端側通気部７４Ａの順に広くなるように構成される。さらに、上部中心側通気部７７における空気の流路面積が、上部先端側通気部７４における空気の流路面積よりも広くなるように形成される。そのため、上部中心側通気部７７から外部に放出される脱臭成分の量が多くなる。これにより、臭いが付着しやすい衣類１００の襟１０１側に、より多くの脱臭成分が供給される。その結果、衣類１００の襟１０１に付着した臭いを、適切に脱臭できる。さらに、上部中心側通気部７７は、ハンガー部２０の上方側（フック部１１側）に向けて開口するように形成される。そのため、衣類１００の襟１０１に向けて、より確実に脱臭成分を放出できる。
【００３６】
また、通気部７０の第１通気部７１は、図３に示すように、上部コンポーネント３０の複数のフランジ３１間に形成される。第１通気部７１は、ハンガー部本体４０の開口部４１と連通する。これにより、外部の空気を、第１通気部７１を介して、ハンガー部本体４０の流通路４２（図２参照）に取り入れることができる。なお、第１通気部７１は、例えば、孔、スリット、メッシュなどで形成される。図３に示す例では、第１通気部７１は、整列した複数のスリット７１Ａで形成している。そのため、第１通気部７１における、空気の流路面積を広く取ることができる。その結果、第１通気部７１を通過する空気の流量を増やすことができる。
【００３７】
つまり、ハンガー部２０は、上述したように、上部コンポーネント３０とハンガー部本体４０とを結合することにより構成される。これにより、上部コンポーネント３０は、容易に交換することができる。そのため、上部コンポーネント３０の交換により、第１通気部７１における空気の流路の形状を容易に変更できる。その結果、必要性能に応じて、通過する空気の流量を任意に調整できる。
【００３８】
さらに、第２通気部７２は、ハンガー部２０のハンガー部本体４０の底部２２側にも配設される。これにより、脱臭装置２６により生成された脱臭成分を含む空気は、自重により、ハンガー部本体４０の底部２２の第２通気部７２から、下方に流れる。そのため、ハンガー部２０の外部から第１通気部７１を通過して脱臭装置２６に流れる空気と、脱臭装置２６により生成された脱臭成分を含む空気の流れとの干渉が、抑制される。なお、第２通気部７２は、例えば孔、スリット、メッシュなどで形成される。
【００３９】
また、アーム部６０の底部６１には、図４に示すように、下部先端側通気部７５および下部中心側通気部７８が配設される。下部先端側通気部７５は、アーム部６０の先端部６２側の底部６１に形成される。
【００４０】
一方、下部中心側通気部７８は、アーム部６０の先端部６２より内側の底部６１に形成される。
【００４１】
このとき、下部先端側通気部７５は、下部先端側通気部７５を通過する空気の流路面積が、下部中心側通気部７８を通過する空気の流路面積よりも広くなるように構成される。つまり、下部先端側通気部７５における空気の流路面積が、下部中心側通気部７８における空気の流路面積よりも広くなるように形成される。そのため、下部先端側通気部７５から外部に放出される脱臭成分の量が多くなる。これにより、下部先端側通気部７５からハンガー部２０の外部に放出された脱臭成分を含む空気の多くが、衣類１００の袖１０３から流入し、袖口まで到達しやすくなる。その結果、脱臭成分により、衣類１００の袖１０
３から袖口にかけて、より効果的に脱臭できる。
【００４２】
また、脱臭ハンガー１０は、図５に示すように、内部に、脱臭装置２６および制御部２７などを備える。脱臭装置２６は、衣類１００（図１参照）を脱臭する脱臭成分を生成する。脱臭成分は、例えば帯電微粒子水、オゾン、ラジカル、空気イオンなどが例示される。
【００４３】
具体的には、脱臭成分が帯電微粒子水の場合、脱臭装置２６は、放電電極（図示せず）から空気に対して放電し、脱臭成分を生成する。このとき、脱臭装置２６は、ペルチェ素子（図示せず）を備える構成が好ましい。つまり、ペルチェ素子で空気を冷却し、空気中の水分を凝縮させる。そして、凝縮した水分を、放電により静電霧化する。これにより、例えば帯電微粒子水などの脱臭成分を、効率的に生成できる。
【００４４】
制御部２７は、使用者による操作部２４を介した動作指示に応じて、脱臭装置２６の動作を制御する。つまり、制御部２７は、操作部２４のボタン２４Ａの押下操作により、脱臭ハンガー１０に脱臭動作を開始させるための信号を受信すると、脱臭装置２６を動作させるように制御する。また、制御部２７は、操作部２４のボタン２４Ａの再度の押下操作により、脱臭ハンガー１０に脱臭動作を停止させるための信号を受信すると、脱臭装置２６を停止させるように制御する。なお、制御部２７は、例えばマイクロコンピュータなどで構成され、上記制御動作を実行する。
【００４５】
また、ハンガー部本体４０は、図５に示すように、内部に、上述した流通路４２を備える。流通路４２は、通路部４３および貯留部４４などを含む。通路部４３は、流通路４２の脱臭装置２６よりも上方側に設けられる部分に相当する。貯留部４４は、流通路４２の脱臭装置２６よりも下方側に設けられる部分に相当する。
【００４６】
貯留部４４は、脱臭装置２６により生成された脱臭成分を貯留可能に構成される。
【００４７】
なお、図５の点線矢印は、ハンガー部２０内の空気の流れを示している。つまり、外部の空気は、第１通気部７１から、ハンガー部本体４０の流通路４２内に取り入れられる。取り入れられた空気は、流通路４２の通路部４３を通過して、脱臭装置２６に到達する。到達した空気は、脱臭装置２６により生成される脱臭成分と混合される。これにより、脱臭成分を含んだ空気が生成される。そして、生成された脱臭成分を含む空気は、貯留部４４に貯められる。
【００４８】
なお、通気部７０は、上述したように、第１通気部７１と、第２通気部７２などを含む。
【００４９】
第１通気部７１は、脱臭装置２６よりもハンガー部２０の上方側に部分に設けられる。具体的には、第１通気部７１は、ネック部５０の上部５１の上部コンポーネント３０に設けられる。これにより、ハンガー部２０に衣類１００が掛けられたときに、第１通気部７１は、衣類１００により覆われにくい。そのため、衣類１００により、脱臭装置２６に供給される空気の量が、減少しにくい。その結果、脱臭ハンガー１０は、脱臭装置２６で脱臭成分を含む空気を効率的に生成できる。
【００５０】
一方、第２通気部７２は、脱臭装置２６よりもハンガー部２０の下方側の部分に設けられる。具体的には、第２通気部７２は、ハンガー部２０のハンガー部本体４０のネック部５０の下部５２およびアーム部６０の、少なくとも一方に設けられる。そして、脱臭成分を含む空気は、第２通気部７２を通過して、ハンガー部２０の外部に、適量に放出される。
【００５１】
このとき、図６に示すように、貯留部４４に貯められた脱臭成分を含む空気は、第２通気部７２から外部に放出される。
【００５２】
そして、脱臭成分の一部は、貯留部４４に滞留する。貯留部４４に滞留する脱臭成分は、重力（自重）、または、ハンガー部２０内に形成された空気の流れなどにより、ハンガー部２０内を移動する。これにより、脱臭成分を含む空気が、通気部７０からハンガー部２０の外部に放出される。つまり、脱臭装置２６による脱臭成分の生成量が低下しても、貯留部４４に滞留している脱臭成分が、放出される。そのため、脱臭装置２６による脱臭成分の生成量の低下が、貯留部４４に滞留している脱臭成分により補償される。これにより、脱臭成分の低下による衣類１００の脱臭機能の低下が、抑制される。その結果、例え脱臭装置２６による脱臭成分の生成量が低下した場合でも、衣類１００などに付着した臭いを、より効率よく脱臭できる。
【００５３】
なお、貯留部４４は、脱臭装置２６から第２通気部７２までの、空気が流れる流路上に設けることが好ましい。これにより、脱臭装置２６により生成される脱臭成分が、貯留部４４に滞留しやすくなる。
【００５４】
また、脱臭装置２６から第２通気部７２までの距離が、第１通気部７１から脱臭装置２６までの距離よりも長くなるように構成することが好ましい。これにより、脱臭ハンガー１０が貯留部４４を備える構成の場合、貯留部４４の容積を大きくできる。そのため、貯留部４４に、より多くの脱臭成分を含んだ空気を貯留できる。その結果、脱臭装置２６により生成される脱臭成分が増減しても、より均一な量の脱臭成分を含む空気を、衣類１００などに、効率的に放出して脱臭できる。
【００５５】
（実施の形態２）
以下、実施の形態２における脱臭ハンガーの構成について、図７を参照しながら、説明する。
【００５６】
図７に示すように、実施の形態２の脱臭ハンガー１０は、吸込口２８Ａおよび吐出口２８Ｂを備える電動ファン２８を、さらに備える点で、実施の形態１と相違する。その他の構成要素や動作などは、実施の形態１の脱臭ハンガー１０と実質的に同じであるため、説明を省略する場合がある。
【００５７】
つまり、実施の形態２の脱臭ハンガー１０は、図７に示すように、電動ファン２８が、例えばハンガー部本体４０のネック部５０近傍の内部に配設される。
【００５８】
電動ファン２８は、図７の破線矢印で示すように、脱臭装置２６により生成された脱臭成分を含む空気を、先端側通気部７３に含まれる下部先端側通気部７５に、効率よく流すことができる。そのため、脱臭成分の、例えば衣類１００の袖１０３（図１参照）などへの拡散量が多くなる。これにより、脱臭ハンガー１０の脱臭機能を、さらに高めることができる。その結果、衣類１００の袖１０３の、例えば袖口などに付着した臭いを、より強力に脱臭できる。
【００５９】
このとき、脱臭装置２６を、ハンガー部２０の内部における電動ファン２８の吐出口２８Ｂ側に設けることが好ましい。この構成により、脱臭装置２６により生成される脱臭成分の電動ファン２８への付着を、より確実に防止できる。そのため、脱臭成分を、効率よく、ハンガー部２０の外部に排出できる。
【００６０】
また、電動ファン２８の吸込口２８Ａは、ハンガー部本体４０のネック部５０の上部５
１内に配設される。つまり、第２通気部７２よりも電動ファン２８の吸込口２８Ａの近くに、第１通気部７１が配設される。これにより、ハンガー部２０の内部における、第１通気部７１から電動ファン２８の吸込口２８Ａまでの、空気が流れる流路が短くなる。その結果、電動ファン２８により、上部コンポーネント３０の第１通気部７１から、効率的に、空気をハンガー部２０内に吸引できる。
【００６１】
一方、電動ファン２８の吐出口２８Ｂは、ネック部５０の下部５２内、またはアーム部６０内に配設される。つまり、第１通気部７１よりも電動ファン２８の吐出口２８Ｂの近くに、第２通気部７２が配設される。そのため、脱臭装置２６により生成された脱臭成分を含む空気の流れと、電動ファン２８に吸引される空気の流れとの干渉が、生じにくい。これにより、ハンガー部２０の外部に放出される脱臭成分の濃度などの変化を抑制して、より安定した脱臭性能を維持できる。
【００６２】
（実施の形態３）
以下、実施の形態３における脱臭ハンガー１０の構成について、図８〜図１６を参照しながら、説明する。
【００６３】
図８、図９は実施の形態３の脱臭ハンガー１０の正面図である。
【００６４】
実施の形態３と、実施の形態１および２との異なる点は、ハンガー部本体４０の下方にズボンやスカートといった衣類を掛けるための衣類保持部材３００と衣類保持部材３００を支持するための右支持部３０１と左支持部３０２を設けた点にある。以下、ハンガー部本体４０の構成は実施の形態１および２と同一の構成であるため説明を省略し、異なる部分について詳細に説明する。
【００６５】
図８に示す脱臭ハンガーでは、アーム部６０の先端部６２近傍から、下方に向けて２つの支持部（右支持部３０１と左支持部３０２）が形成されている。
【００６６】
より具体的には、右側の先端部６２の裏面側から下方に向けて右支持部３０１が形成されており、一方、左側の先端部６２の裏面側から下方に向けて左支持部３０２が形成されている。
【００６７】
この２つの支持部は、ズボンやスカートといった衣類を掛けるための衣類保持部材３００を着脱自在に支持する。
【００６８】
衣類保持部材３００は右支持部３０１を支点として、図９の矢印方向に回転することが可能であり、その角度は、０度〜最大約１１０度までである。
【００６９】
最大１１０度までの角度とした理由は以下の通りである。例えば、図９に示す脱臭ハンガー１０の右側に窓があった場合に、衣類保持部材３００が窓に当たらないようにするためである。
【００７０】
詳細に説明すると、使用者が脱臭ハンガー１０を窓の近くに置く場合、脱臭ハンガー１０のアーム部６０を窓に当てた状態で使用するとアーム部６０により窓にキズが付くことが考えられる。このため、使用者が脱臭ハンガー１０を窓の近くに置く場合には、脱臭ハンガー１０を窓から少し離れた位置で使用することが想定される。
【００７１】
この場合、衣類保持部材３００の回転角度を０度〜１１０度と設定することにより、衣類保持部材３００を開いた場合に衣類保持部材３００が窓に当たらないようにしている。
【００７２】
尚、衣類保持部材３００の回転角度を１１０度未満の角度としても良い。こうすることにより、確実に衣類保持部材３００が窓に当たることを回避することが可能である。衣類保持部材３００の回転角度は１１０度を超える角度としても良い。
【００７３】
また、衣類保持部材３００は、左支持部３０２を支点として回転することも可能である。衣類保持部材３００の回転角度は、上述した右支持部３０１材を支点として回転した場合と同様な角度に設定されている。
【００７４】
左支持部３０２と右支持部３０１は同じ構造であり、同じ機能を有している。また、左支持部３０２と右支持部３０１は、脱臭ハンガー１０の中心軸に対して線対称の関係にある。
【００７５】
図８に戻り、右支持部３０１と左支持部３０２、衣類保持部材３００、アーム部６０で囲まれた部分には空間Ｓが存在する。
【００７６】
右支持部３０１と左支持部３０２は夫々、空間Ｓ側に右傾斜部３０３と左傾斜部３０４を有している。またこの右傾斜部３０３と左傾斜部３０４は下方に進むにつれた、２つの傾斜部間の距離が長くなるように傾斜している。
【００７７】
このため、下部中心側通気部７８から放出された脱臭成分が、衣類保持部材３００に掛けられた衣類全体に広がる。
【００７８】
右支持部３０１の右側側面３０５と、左支持部３０２の左側側面３０６夫々にはリリースボタン３０７が配置されている。使用者が右支持部３０１のリリースボタン３０７を押下することにより、右支持部３０１から衣類保持部材３００が外れるようになっている。また、使用者が左支持部３０２のリリースボタン３０７を押下することにより、左支持部３０２から衣類保持部材３００が外れるようになっている。この構成についての詳細は後ほど説明する。
【００７９】
尚、本実施例では、右支持部３０１から空間Ｓ側と、左支持部３０２から空間Ｓ側の方向を、脱臭ハンガー１０の内側としている。また、右支持部３０１の右側側面３０５から外方の方向と、左支持部３０２の左側側面３０６から外方の方向を、脱臭ハンガー１０の外側としている。
【００８０】
図１０は、図８に示す脱臭ハンガー１０の底面図である。
【００８１】
脱臭ハンガー１０の下部中心側通気部７８と下部先端側通気部７５の下方に衣類保持部材３００が位置するようになっている。このため、衣類保持部材３００に掛けられたズボンやスカート全体を効率的に脱臭することができる。
【００８２】
図１１は、衣類保持部材３００を示す図である。衣類保持部材３００は、例えばステンレス鋼（ＳＵＳ３０４）から成り、断面形状は直径５ｍｍの円形状である。
【００８３】
衣類保持部材３００は、２つの長辺３０８と２つの短辺３０９の２つの辺からなる略長方形の形状である。１つの長辺３０８の長さは３５０ｍｍであり、１つの短辺３０９の長さは４０ｍｍである。この長辺３０８と短辺３０９の長さは一例であり、長辺３０８と短辺３０９の長さを図１１に示す長さと異なる数値としても良い。
【００８４】
衣類保持部材３００の４つの隅部分は曲面となっている。これは、衣類保持部材３００が支持部材を支点に回転する際に、スムーズに回転できるようにするためである。
【００８５】
衣類保持部材３００の１つの長辺３０８には、衣類がすべり落ちることを防止するための滑り止め３１７が形成されている。この滑り止め３１７は、例えば、熱可塑性エラストマーのような、衣類と滑り止め間に摩擦が生じ易い材料からなる。
【００８６】
尚、この滑り止め３１７は２つの長辺３０８夫々に形成しても良いし、片方の長辺３０８のみに形成しても良い。
【００８７】
図１２は、右支持部３０１近傍を拡大した図である。図１３は、使用者がリリースボタン３０７を押下した状態での、右支持部３０１近傍を拡大した図である。図１２と図１３の点線で示した部分はロック装置３１０であり、衣類保持部材３００を支持或いは開放するための装置である。使用者は、このロック装置３１０に形成されたリリースボタン３０７を押下することにより、衣類保持部材３００を右支持部３０１から開放することができる。
【００８８】
図１２に示すように、右支持部３０１は２つの内壁である外側内壁３１１と内側内壁３１２を有しており、これら内壁の上方には曲部３１３が形成されている。外側内壁３１１は下方に向けて多少傾斜しており、その長さは約８ｍｍである。このため、使用者が左指示部のリリースボタン３０７を押下し、衣類保持部材３００が図９に示すように左支持部３０２材を支点として回転する際に、約１１０度の回転角度まで回転し、衣類保持部材３００がそれ以上の角度まで回転できないようになっている。
【００８９】
尚、本実施例では外側内壁３１１の長さを約８ｍｍとしたが、他の長さとしても良い。例えば、４ｍｍ〜１５ｍｍの範囲での長さにすることも可能である。
【００９０】
衣類保持部材３００の回転角度は、設計時にこの外側内壁３１１の傾斜角度と長さを変更することにより変えることができる。
【００９１】
曲部３１３は表面が曲面である。このため、衣類保持部材３００が回転しやすい構造となっている。
【００９２】
ロック装置３１０は下方に突出部３１４を有しており、ロック装置３１０は図示しないスプリング等の弾性部材により脱臭ハンガー１０の外側（図１３中右側）に向けて付勢されている。図１２に示す状態では、突出部３１４は２つの内壁である、外側内壁３１１と内側内壁３１２と間の空間に突出し、衣類保持部材３００が下方に落ちないように支持している。
【００９３】
使用者がリリースボタン３０７を押下すると、図１３に示すように突出部３１４は、弾性部材の付勢力に抗して脱臭ハンガー１０の内側（図１３中左側）に移動する。そうすると、突出部３１４は衣類保持部材３００を保持しなくなる。このため、衣類保持部材３００は下方に落下する。
【００９４】
図１４は、右支持部３０１近傍を拡大し下方から見た斜視図である。
【００９５】
図１４において、右支持部３０１のリリースボタン３０７が配置された右側側面３０５には、右側側面３０５の表面からへこんだ形状である凹部３１５が形成されている。この凹部３１５は、右支持部３０１が下部先端側通気部７５を塞ぐことを極力回避している。
【００９６】
また、右側側面３０５の下方側には、複数の突部からなる凹凸部３１６が形成されている。この凹凸部３１６は、右側側面３０５の下方部分の強度を上げるためのものである。
【００９７】
より詳細には、衣類保持部材３００が回転する際に、右側側面３０５の下方側に衣類保持部材３００が当たり、右側側面３０５の下方側に衝撃が加わるが、このように衝撃が加わる部分に複数の突部からなる凹凸部３１６を形成し、強度を上げている。
【００９８】
このように、右側側面３０５は、凹部３１５を有することにより、下部先端側通気部７５からの脱臭成分が効率よく衣服に流れるようにしており、また、この凹部３１５の中に複数の突部からなる凹凸部３１６を有することにより、右支持部３０１の強度を高めている。
【００９９】
尚、左支持部３０２は右支持部３０１と同様な構成となっているため、説明を省略する。
【０１００】
図１５は、脱臭ハンガー１０にズボンを掛けた状態を示す斜視図である。図１６は、脱臭ハンガー１０にズボンを掛けた状態を示す右側面図である。尚、点線で記載した部分がズボンである。
【０１０１】
図１５、図１６に示すように、衣類保持部材３００の２つの長辺３０８にズボンを掛けているため、下部中心側通気部７８から放出した消臭成分は、図１６の矢印に示すように衣類保持部材３００の下方から左右に向い流れる。このため、消臭成分をズボン全体に流すことが可能となる。
【０１０２】
衣類保持部材３００にはスカートの紐を通すこともできる。スカートの紐の輪の中に衣類保持部材３００を通し、衣類保持部材３００を右支持部３０１と左支持部３０２に装着することにより、スカートを脱臭ハンガー１０に吊り下げることが可能である。
【０１０３】
尚、実施の形態３については、変形例として以下の構成とすることも可能である。
【０１０４】
本実施の形態３では、右支持部３０１と左支持部３０２は脱臭ハンガー１０の本体に固定されているが、着脱可能としても良い。
【０１０５】
また、本実施の形態３では、衣類保持部材３００は、右支持部３０１と左支持部３０２から着脱可能であるが、衣類保持部材３００を右支持部３０１と左支持部３０２に固定した構成としても良い。
【０１０６】
また、本実施の形態３では、衣類保持部材３００は、２つの長辺３０８を有しているが、１つの長辺３０８のみ、即ち略棒状の形状としても良い。
【０１０７】
また、衣類保持部材３００の２つの長辺３０８の間にメッシュ状の部材を配置しても良い。このような構成とすることにより、衣類が衣類保持部材３００からずり落ちるにくくすることができる。
【０１０８】
また、衣類保持部材３００と滑り止め３１７を同じ材料で形成しても良い。例えば衣類保持部材３００と滑り止め３１７をポリエチレンテレフタラートのような樹脂で形成し、滑り止め３１７部分に凹凸を形成し、他の部分は表面が滑りやすいように凹凸がない表面にすることで、滑り止め３１７部分により衣類がずり落ちることを防止することも可能である。
【０１０９】
（変形例）
上記各実施の形態では、脱臭ハンガーが取り得る形態の一例について説明したが、上記
実施の形態に限られない。
【０１１０】
つまり、本実施の形態の脱臭ハンガーは、上記各実施の形態以外に、例えば以下に示す実施の形態の変形例、および、相互に矛盾しない少なくとも２つの変形例が組み合わせられた形態をも取り得る。
【０１１１】
具体的には、脱臭装置２６が生成する脱臭成分の重さは、任意に変更可能である。例えば、脱臭装置２６は、空気よりも重い脱臭成分を生成することもできる。この場合、通気部７０が脱臭装置２６よりもハンガー部２０の上部２１寄りの部分に設けられた第１通気部７１、および、脱臭装置２６よりもハンガー部２０の底部２２寄りの部分に設けられた第２通気部７２を含むように構成することが好ましい。これにより、脱臭成分を含む空気が、貯留部４４に流れ込みやすくなる。つまり、脱臭成分を含んだ空気は、主に第２通気部７２を通過してハンガー部２０の外部に移動する。そのため、ハンガー部２０の外部から第１通気部７１を通過して脱臭装置に流れる空気と、脱臭装置２６により生成された脱臭成分の流れとの干渉が生じにくい。その結果、脱臭成分を、ハンガー部２０の外部に効率的に放出できる。
【産業上の利用可能性】
【０１１２】
本発明の脱臭ハンガーは、帯電微粒子水、空気イオン、および、オゾンなどの脱臭成分を効率的に発生させて、衣類を脱臭することができる。そのため、脱臭ハンガー以外に、脱臭機能が要望される、家庭用、産業用などの機器に適用できる。
【符号の説明】
【０１１３】
１０    脱臭ハンガー
１１    フック部
１２    基端
２０    ハンガー部
２１    上部
２２    底部
２３    表示部
２４    操作部
２４Ａ    ボタン
２５    端子部
２６    脱臭装置
２７    制御部
２８    電動ファン
２８Ａ    吸込口
２８Ｂ    吐出口
３０    上部コンポーネント
３１    フランジ
４０    ハンガー部本体
４１    開口部
４２    流通路
４３    通路部
４４    貯留部
５０    ネック部
５１    上部
５２    下部
６０    アーム部
６１    底部
６２    先端部
６３    中心
７０    通気部
７１    第１通気部
７１Ａ  スリット
７２    第２通気部
７３    先端側通気部
７４    上部先端側通気部
７４Ａ    第１上部先端側通気部
７４Ｂ    第２上部先端側通気部
７５    下部先端側通気部
７６    中心側通気部
７７    上部中心側通気部
７８    下部中心側通気部
１００    衣類
１０１    襟
１０２    肩
１０３    袖
３００  衣類保持部材
３０１  右支持部
３０２  左支持部
３０３  右傾斜部
３０４  左傾斜部
３０５  右側側面
３０６  左側側面
３０７  リリースボタン
３０８  長辺
３０９  短辺
３１０  ロック装置
３１１  外側内壁
３１２  内側内壁
３１３  曲部
３１４  突出部
３１５  凹部
３１６  凹凸部
３１７  滑り止め
【図１】
2020018655.tif 000003
【図２】
2020018655.tif 000004
【図３】
2020018655.tif 000005
【図４】
2020018655.tif 000006
【図５】
2020018655.tif 000007
【図６】
2020018655.tif 000008
【図７】
2020018655.tif 000009
【図８】
2020018655.tif 000010
【図９】
2020018655.tif 000011
【図１０】
2020018655.tif 000012
【図１１】
2020018655.tif 000013
【図１２】
2020018655.tif 000014
【図１３】
2020018655.tif 000015
【図１４】
2020018655.tif 000016
【図１５】
2020018655.tif 000017
【図１６】
2020018655.tif 000018